(57)【特許請求の範囲】
【請求項１】
任意の周波数および電圧の単相交流電圧を出力する複数台の単位インバータ装置を直列多重接続とし、直列多重接続した回路を３組有し、該３組の直列多重接続回路それぞれの１端を切替手段を介して中性点として接続し、前記直列多重接続回路の他端から３相交流出力を得る３相インバータと、この３相インバータの出力を制御する制御部とから構成される電力変換装置において、各単位インバータ装置を制御する前記制御部が前記各単位インバータ装置と通信する際、前記各単位インバータ装置を電力変換装置の枠体の所定位置に組み込むことだけで前記各単位インバータ装置を識別するための前記各単位インバータ装置へ設定する局番情報を自動設定することを特徴とする電力変換装置。
【請求項２】
前記各単位インバータ装置を電力変換装置の前記枠体の所定位置にレールを介して組み込むことで電力変換装置に設けられている電気接点を機械的に動作させることにより、前記局番情報を自動設定することを特徴とする請求項１に記載の電力変換装置。
【請求項３】
前記電気接点は、前記単位インバータ装置の底部の所定位置に固定されたマイクロスイッチで構成され、該マイクロスイッチは前記単位インバータ装置を前記レールへ挿通して前記レール上を前記枠体の奥部に進入させることで、前記レールを固定する前記枠体に設けられた前記レールを支持する固定材上に載置された固定板に固定された動作棒が前記スイッチに当接して動作させることで前記単位インバータ装置が所定の位置に設定されていることを識別することを特徴とする請求項２に記載の電力変換装置。
【請求項４】
前記各単位インバータ装置を電力変換装置の前記枠体の所定位置にレールを介して前記枠体の奥部に進入させたとき、前記単位インバータ装置の底部の所定位置に固定された発光・受光素子から発光された光が前記レールを固定する前記枠体に設けられた前記レールを支持する固定材上に載置された固定板に固定された反射板により反射するようにして、前記該発光・受光素子に受光することにより前記単位インバータ装置が所定の位置に設定されていることを識別して前記局番情報を自動設定することを特徴とする請求項１に記載の電力変換装置。
【請求項５】
前記各単位インバータ装置を電力変換装置の前記枠体の所定位置にレールを介して組み込むことにより、電力変換装置に搭載された近距離無線システムが作動することで前記局番情報を自動設定することを特徴とする請求項１に記載の電力変換装置。
【請求項６】
前記近距離無線システムは、前記単位インバータ装置の底部の所定位置に固定されたＲＦＩＤリーダーと、該ＲＦＩＤリーダーから送出する信号波に応答してＲＦＩＤタグに記憶されたデータを返送するＲＦＩＤ近距離通信で構成され、前記単位インバータ装置を前記レールへ挿通して前記レール上を前記枠体の奥部に進入させたとき、該ＲＦＩＤリーダーから放出された電力波及び信号波が前記レールを固定する前記枠体に設けられた前記レールを支持する固定材上に載置された固定板に固定されたＲＦＩＤタグにより受信されて該ＲＦＩＤタグに記憶されているデータを信号波として返送することにより前記単位インバータ装置が所定の位置に設定されていることを識別することを特徴とする請求項５に記載の電力変換装置。
【発明の詳細な説明】
【技術分野】
【０００１】
本発明は、複数台の単位インバータ装置を直列多重接続とした電力変換装置に関し、複数台の単位インバータ装置に対し設定すべき局番情報を、単位インバータ装置を電力変換装置の枠体内に組込むことにより、誤設定することなく、正常運転を行わせることができる電力変換装置に関する。
【背景技術】
【０００２】
従来、例えば、本体に収納される機器に対して外部から設定を行う場合、本体に、送信部からワイヤレス送信を受信する受信部と、この受信部の情報から駆動体を駆動可能とする駆動部とを備え、本体と別体にした操作手段から設定情報をワイヤレスで送信して各種設定を行うユニット装置が知られている。すなわち、下記に示す特許文献１に示されるファンフィルタユニットにおいて、本体のアドレス設定にあたって、従来は、受信部においてＥＥＰＲＯＭやマイコンなどのＩＣを用いてアドレスを記憶するようにしているところ、スイッチなどを新たに追加して物理的にアドレスを記憶させることが可能であることが記載されている（特許文献１の段落００５４参照）。
【０００３】
その一方、特許文献２の段落０００２−００１５、図７−図１０に示されるような複数台の単位インバータの出力端を直列多重接続してなる電力変換装置においても、従来は、電力変換装置の単位インバータに設定すべき局番（=アドレス）情報を手動により設定していた。
【先行技術文献】
【特許文献】
【０００４】
【特許文献１】特開２００８−０７５９６１号公報（段落００５４）
【特許文献２】特開２００９−１８３０８２号公報（段落０００２−００１１）
【発明の概要】
【発明が解決しようとする課題】
【０００５】
上記したように従来の電力変換装置におけるアドレス設定技術では、各単位インバータに設定すべき局番情報を手動により設定を行っていた。このため、局番情報を誤設定した場合、電力変換装置の出力が異常となるか、または、電力変換装置を破損してしまう、という問題があった。
【０００６】
そこで本発明の目的は、複数台の単位インバータ装置の出力端を直列多重接続してなる電力変換装置において、単位インバータ装置を電力変換装置の枠体に組込むだけで自動的に局番情報の設定を可能とする電力変換装置を提供することにある。
【課題を解決するための手段】
【０００７】
上記目的を達成するために本発明は、電力変換装置に局番情報を識別する機構を設け、単位インバータ装置を電力変換装置の枠体の所定位置に組込むことにより、局番情報が自動的に設定されるよう構成したものである。
【０００８】
より具体的に示せば、本願請求項１記載の発明は、
任意の周波数および電圧の単相交流電圧を出力する複数台の単位インバータ装置を直列多重接続とし、直列多重接続した回路を３組有し、該３組の直列多重接続回路それぞれの１端を切替手段を介して中性点として接続し、前記直列多重接続回路の他端から３相交流出力を得る３相インバータと、この３相インバータの出力を制御する制御部とから構成される電力変換装置において、各単位インバータ装置を制御する前記制御部が前記各単位インバータ装置と通信する際、前記各単位インバータ装置を電力変換装置の枠体の所定位置に組み込むことだけで前記各単位インバータ装置を識別するための前記各単位インバータ装置へ設定する局番情報を自動設定することを特徴とする。
【０００９】
また本願請求項２記載の発明は、上記請求項１記載の発明において、前記各単位インバータ装置を電力変換装置の前記枠体の所定位置にレールを介して組み込むことで電力変換装置に設けられている電気接点を機械的に動作させることにより、前記局番情報を自動設定することを特徴とする。
【００１０】
本願請求項３記載の発明は、上記請求項２記載の発明において、前記電気接点は、前記単位インバータ装置の底部の所定位置に固定されたマイクロスイッチで構成され、該マイクロスイッチは前記単位インバータ装置を前記レールへ挿通して前記レール上を前記枠体の奥部に進入させることで、前記レールを固定する前記枠体に設けられた前記レールを支持する固定材上に載置された固定板に固定された動作棒が前記スイッチに当接して動作させることで前記単位インバータ装置が所定の位置に設定されていることを識別することを特徴とする。
【００１１】
また本願請求項４記載の発明は、上記請求項１記載の発明において、前記各単位インバータ装置を電力変換装置の前記枠体の所定位置にレールを介して前記枠体の奥部に進入させたとき、前記単位インバータ装置の底部の所定位置に固定された発光・受光素子から発光された光が前記レールを固定する前記枠体に設けられた前記レールを支持する固定材上に載置された固定板に固定された反射板により反射するようにして、前記該発光・受光素子に受光することにより前記単位インバータ装置が所定の位置に設定されていることを識別して前記局番情報を自動設定することを特徴とする。
【００１２】
さらに本願請求項５記載の発明は、上記請求項１記載の発明において、前記各単位インバータ装置を電力変換装置の前記枠体の所定位置にレールを介して組み込むことにより、電力変換装置に搭載された近距離無線システムが作動することで前記局番情報を自動設定することを特徴とする。
【００１３】
本願請求項６記載の発明は、上記請求項５記載の発明において、前記近距離無線システムは、前記単位インバータ装置の底部の所定位置に固定されたＲＦＩＤリーダーと、該ＲＦＩＤリーダーから送出する信号波に応答してＲＦＩＤタグに記憶されたデータを返送するＲＦＩＤ近距離通信で構成され、前記単位インバータ装置を前記レールへ挿通して前記レール上を前記枠体の奥部に進入させたとき、該ＲＦＩＤリーダーから放出された電力波及び信号波が前記レールを固定する前記枠体に設けられた前記レールを支持する固定材上に載置された固定板に固定されたＲＦＩＤタグにより受信されて該ＲＦＩＤタグに記憶されているデータを信号波として返送することにより前記単位インバータ装置が所定の位置に設定されていることを識別することを特徴とする。
【発明の効果】
【００１４】
本発明によれば、電力変換装置に局番情報の識別機構が設けられているので、単位インバータ装置を電力変換装置の枠体に組込むだけで局番情報の誤設定を無くすことができるとともに設定するだけで電力変換装置を正常に運転することができる。
【図面の簡単な説明】
【００１５】
【図１】本発明の第１ないし第３の実施形態に係る電力変換装置の全体構成の概要を示す図である。
【図２】本発明の第１ないし第３の実施形態に係る単位インバータ装置の回路構成を示す図である。
【図３】本発明の第１ないし第３の実施形態に係る単位インバータ装置の直列多重接続構成を示す図である。
【図４】本発明の第１の実施形態に係る電力変換装置組込状態の単位インバータ装置を正面から見た図である。
【図５】本発明の第１の実施形態に係る電力変換装置組込完了前状態の単位インバータ装置を側面から見た図である。
【図６】本発明の第１の実施形態に係る電力変換装置組込完了状態の単位インバータ装置を側面から見た図である。
【図７】本発明の第１の実施形態に係る単位インバータ装置の構成を示す図である。
【図８】図７の単位インバータ装置組込前の電力変換装置の枠体を示す図である。
【図９】本発明の第１の実施形態に係る電力変換装置の全体構成概要を示す図（正面視）である。
【図１０】本発明の第１の実施形態に係る単位インバータ装置の枠体への組込みの様子を示す図である。
【図１１】図１０に示す単位インバータ装置の枠体への組込完了の様子を示す図である。
【図１２】本発明の第２の実施形態に係る電力変換装置組込完了前状態の単位インバータ装置を正面から見た図である。
【図１３】本発明の第２の実施形態に係る電力変換装置組込完了状態の単位インバータ装置を側面から見た図である。
【図１４】本発明の第２の実施形態に係る単位インバータ装置の構成を示す図である。
【図１５】図１４の単位インバータ装置組込前の電力変換装置の枠体を示す図である。
【図１６】本発明の第２の実施形態に係る電力変換装置の全体構成概要を示す図（正面視）である。
【図１７】本発明の第２の実施形態に係る単位インバータ装置の枠体への組込みの様子を示す図である。
【図１８】図１７に示す単位インバータ装置の枠体への組込完了の様子を示す図である。
【図１９】本発明の第３の実施形態に係る電力変換装置組込完了前状態の単位インバータ装置を正面から見た図である。
【図２０】本発明の第３の実施形態に係る電力変換装置組込完了状態の単位インバータ装置を側面から見た図である。
【図２１】本発明の第３の実施形態に係る単位インバータ装置の構成を示す図である。
【図２２】図２１の単位インバータ装置組込前の電力変換装置の枠体を示す図である。
【図２３】本発明の第３の実施形態に係る電力変換装置の全体構成概要を示す図（正面視）である。
【図２４】本発明の第３の実施形態に係る単位インバータ装置の枠体への組込みの様子を示す図である。
【図２５】図２４に示す単位インバータ装置の枠体への組込完了の様子を示す図である。
【発明を実施するための形態】
【００１６】
以下、本発明の実施の形態について、詳細に説明する。
図１は、本発明の第１ないし第３の実施形態に係る電力変換装置の全体構成の概要を示す図（正面視）である。図１に示す本発明の実施形態に係る電力変換装置１において、１は枠体１００の所定位置に単位インバータ装置を収納して３相（Ｕ相，Ｖ相，Ｗ相）の交流電圧を得る電力変換装置の全体構成の概略を示し、２はそれぞれに局番（ナンバー（Ｎｏ．））が付された単位インバータ装置を示し、３は単位インバータ装置２を固定するレールを示し、４は単位インバータ装置固定用レール３を電力変換装置の枠体１００に固定するための固定材を示している。そして電力変換装置１は、単位インバータ装置２によって任意の周波数および電圧の単相交流電圧を変換して出力し、その出力を直列多重接続（図中の太実線参照）して枠体１００に黒丸で示されたＵ相、Ｖ相、Ｗ相の各端子から出力するようにしている。
【００１７】
図２は、本発明の第１ないし第３の実施形態に係る電力変換装置１の枠体１００内に組込まれる単位インバータ装置２の回路構成を示す図である。図２において、単位インバータ装置は、直流電源とインバータＩＮＶよりなり、インバータＩＮＶは、自己消弧型半導体素子Ｔ１〜Ｔ４（例えば、ＩＧＢＴ：絶縁ゲート型バイポーラトランジスタ）およびダイオードＤ１〜Ｄ４を備え、半導体素子Ｔ１，Ｔ２、Ｔ３，Ｔ４が各直列接続されて２つのアームから出力１、出力２を取り出すよう構成している。自己消弧型半導体素子は、図示せざる制御装置によってそのゲートが制御されて直流電圧を交流電圧に変換して出力する。このようなインバータＩＮＶは、直流電源から供給された（Ｐ相，Ｎ相によって表された）直流電圧を所望の交流電圧に変換するものとして広く知られている（必要であれば上記特許文献２参照）。
【００１８】
図３は、本発明の第１ないし第３の実施形態に係る単位インバータ装置の直列多重接続構成を示す図である。図３に示されるように、本発明の電力変換装置は、任意の周波数および電圧の単相交流電圧を出力する複数台の単位インバータを直列多重接続し、直列多重接続した回路を３組有し、３組の直列多重接続回路のそれぞれの１端をそれぞれ切替手段（図示省略）を介して中性点として接続し、直列接続回路の他端から３相交流出力を得る３相インバータとこの３相インバータの出力を制御する制御部から構成される。
【００１９】
［実施形態１］
図４は、本発明の第１の実施形態に係る電力変換装置組込状態の単位インバータ装置を正面から見た図である。また図５は、本発明の第１の実施形態に係る電力変換装置組込完了前状態の単位インバータ装置を側面から見た図であり、また図６は、本発明の第１の実施形態に係る電力変換装置組込完了状態の単位インバータ装置を側面から見た図である。
【００２０】
図４ないし図６に示される本発明の第１の実施形態に係る電力変換装置に組込まれる単位インバータ装置２において、３は図１に示されたのと同一の単位インバータ装置２を固定するレールを示し、４は単位インバータ装置固定用レール３を枠体１００に固定するための固定材を示している。そして５は固定板１２上に設けられ、単位インバータ装置２に設けられている局番識別用スイッチ、例えばマイクロスイッチ、を示し、６は固定板１１上に設けられ、局番識別用スイッチ５に当接して該スイッチを動作させる動作棒を示している。
【００２１】
図７は、本発明の第１の実施形態に係る単位インバータ装置の構成を示す図であり、図７（ａ）は、単位インバータ装置２を正面から見た図（正面視）で、図７（ｂ）は、単位インバータ装置２を側面から見た図（側面視）である。
【００２２】
また図８は、図７の単位インバータ装置組込前の電力変換装置の枠体を示す図であり、図８（ａ）は、電力変換装置１の枠体１００を正面から見た図（正面視）で、図８（ｂ）は、電力変換装置１の枠体１００を側面から見た図（側面視）である。
【００２３】
図７および図８に示される本発明の第１の実施形態において、５は局番識別用スイッチを示し、１２は局番識別用スイッチ５を設置・固定する固定板を示している。また６は局番認識用スイッチ動作棒を示し、１１は局番認識用スイッチ動作棒６を設置・固定する固定板を示している。
【００２４】
図９は、本発明の第１の実施形態に係る電力変換装置の全体構成概要を示す図（正面視）であり、図６に示されるように、本発明の第１の実施形態に係る電力変換装置１では、固定板１２に固定された局番識別用スイッチ５が正面側から背面側にレール３に沿って押し込まれることによって固定板１１に固定された局番認識用スイッチ動作棒６が局番識別用スイッチ５に当接して該スイッチ５を動作させて局番識別用スイッチ５を動作することで当該位置に設けられた単位インバータ装置の局番を識別することで、電力変換装置１の枠体１００内に収納された単位インバータ装置２のナンバー（局番情報）を識別することができるので、誤設定することなく、単位インバータ装置２を枠体１００の所定位置に収納するだけで正常運転を行うことが可能となる。
【００２５】
図１０は、本発明の第１の実施形態に係る単位インバータ装置の枠体への組込みの様子を示す図であり、図１１は図１０に示した単位インバータ装置の枠体への組込完了の様子を示す図である。
【００２６】
電力変換装置１の枠体１００に組込まれる単位インバータ装置２は、図１に示す局番割当がなされるものとする。すなわち図１０および図１１において、電力変換装置１の局番割当Ｎｏ．２に該当する箇所（図９参照）に単位インバータ装置２を組込むとした場合、局番２を示す部位のみ局番認識用スイッチ動作棒６が固定板１１上に設けられ、他局番を示す部位には局番認識用スイッチ動作棒６は設けられていない。したがって、電力変換装置１の枠体１００に単位インバータ装置２を組み込むと、図１０の組込途中の状態から図１１の組込完了状態に移行するに当たり、局番割当Ｎｏ．２を示す局番認識用スイッチ動作棒６が局番割当Ｎｏ．２を示す局番識別用スイッチ５に当接して該スイッチ５を動作させることで単位インバータ装置２が局番割当Ｎｏ．２であると認識することが出来る。
【００２７】
（変形例）
上記第１の実施形態の局番識別用スイッチ５を動作させる動作棒６の数は、単位インバータ装置全数分準備する必要は無く、デジタル符号化を行い、局番識別用スイッチ５および動作棒６の数を減らすように構成することができる。
【００２８】
このように本発明の第１の実施形態に係る電力変換装置は、図１に示されるように、枠体１００内が上、中、下の３段に分けられ且つ段毎にいずれかの相の局番割当てがあらかじめなされ、局番割当てされた箇所に単位インバータ装置２を挿入する。そしてすべての局番割当てされた位置に単位インバータ装置２を挿入されたらそれらを直列多重接続する。より具体的には図４に示される単位インバータ装置２を枠体１００内のＮｏ．１〜Ｎｏ．９のうちのＮｏ．２の位置に組込むだけで局番設定を行う格別の装置を用いることなしに組込まれた単位インバータ装置２の局番がＮｏ．２であることを識別することが可能となる。すなわち、単位インバータ装置を上記のようにして組込完了させるだけで、組込まれた単位インバータ装置の局番情報を誤設定することなく正しく自動的に設定することが可能となる。
【００２９】
［実施形態２］
図１２は、本発明の第２の実施形態に係る電力変換装置組込完了前状態の単位インバータ装置を正面から見た図である。また図１３は、本発明の第２の実施形態に係る電力変換装置組込完了状態の単位インバータ装置を側面から見た図である。
【００３０】
図１２および図１３に示される本発明の第２の実施形態に係る電力変換装置に組込まれる単位インバータ装置２において、７は局番識別用発光・受光素子を示し、８は局番識別用発光・受光素子７により発光された光を反射する反射板を示している。但し、図１２および図１３に示される図は、上記に示した第１の実施例形態と基本は同一であり、同一の部分には同一の符号を付し、その説明を省略する。
【００３１】
また図１４は、本発明の第２の実施形態に係る単位インバータ装置の構成を示す図であり、図１４（ａ）は、単位インバータ装置２を正面から見た図（正面視）で、図１４（ｂ）は、単位インバータ装置２を側面から見た図（側面視）である。
【００３２】
また図１５は、図１４の単位インバータ装置組込前の電力変換装置の枠体を示す図であり、図１５（ａ）は、電力変換装置１の枠体１００を正面から見た図（正面視）で、図１５（ｂ）は、電力変換装置１の枠体１００を側面から見た図（側面視）である。
【００３３】
図１４および図１５に示される本発明の第２の実施形態において、７は局番識別用発光・受光素子を示し、１４は局番識別用発光・受光素子７を設置・固定する固定板を示している。また８は局番識別用発光・受光素子７により発光された光を反射する反射板を示し、１３は局番認識用反射板を設置・固定する固定板を示している。
【００３４】
図１６は、本発明の第２の実施形態に係る電力変換装置の全体構成概要を示す図（正面視）であり、図１６に示されるように、本発明の第２の実施形態に係る電力変換装置１では、局番識別用発光・受光素子７から発光した光が反射板８（図１３、図１８参照）により反射されて局番識別用発光・受光素子７に戻る光を受光することで当該位置に設けられた単位インバータ装置の局番を識別することにより、電力変換装置１の枠体１００内に収納された単位インバータ装置２のナンバー（局番情報）を識別することができるので、誤設定することなく、単位インバータ装置２を枠体１００の所定位置に収納するだけで正常運転を行うことが可能となる。
【００３５】
図１７は、本発明の第２の実施形態に係る単位インバータ装置の枠体への組込みの様子を示す図であり、図１８は、図１７に示す単位インバータ装置の枠体への組込完了の様子を示す図である。
【００３６】
図１７および図１８において、電力変換装置１の局番割当Ｎｏ．２に該当する箇所（図１６参照）に単位インバータ装置２を組込むとした場合、電力変換装置１の局番割当Ｎｏ．２に該当する箇所に設けられる反射板８は、局番２を示す部位のみ反射板８が設けられ、他局番を示す部位には反射板８を設けないように構成している。
【００３７】
電力変換装置１へ単位インバータ装置２の組込みを完了させることで、図１３、図１８に示すように、単位インバータ装置２に設けられている局番識別用発光・受光素子７より光を発光させる。発光した光に対して、当該設置位置に対応して設けられた反射板８が光を反射させ、局番割当Ｎｏ．２対応に設けられた局番識別用発光・受光素子７のみが光を受光することにより、枠体１００の所定位置に収納された単位インバータ装置２が局番割当Ｎｏ．２であることを認識することが可能となる。
【００３８】
（変形例）
上記第２の実施形態の局番識別用発光・受光素子７へ光を反射させる反射板８の数は、単位インバータ装置全数分準備する必要は無く、デジタル符号化を行い、局番識別用発光・受光素子７および反射板８の数を減らすように構成することができる。
【００３９】
［実施形態３］
図１９は、本発明の第３の実施形態に係る電力変換装置組込完了前状態の単位インバータ装置を正面から見た図である。また図２０は、本発明の第３の実施形態に係る電力変換装置組込完了状態の単位インバータ装置を側面から見た図である。
【００４０】
図１９および図２０に示される本発明の第３の実施形態に係る電力変換装置に組込まれる単位インバータ装置２において、９は固定板１６上に設けられたＲＦＩＤリーダーを示し、１０は固定板１５上に設けられたＲＦＩＤタグを示している。但し、図１９と図２０に示される図は、上記に示した第１の実施形態と基本は同一であり、同一の部分には同一の符号を付し、その説明を省略する。
【００４１】
また図２１は、本発明の第３の実施形態に係る単位インバータ装置の構成を示す図であり、図２１（ａ）は、単位インバータ装置２を正面から見た図（正面視）で、図２１（ｂ）は、単位インバータ装置２を側面から見た図（側面視）である。
【００４２】
また図２２は、図２１の単位インバータ装置組込前の電力変換装置の枠体を示す図であり、図２２（ａ）は、電力変換装置１の枠体１００を正面から見た図（正面視）で、図２２（ｂ）は、電力変換装置１の枠体１００を側面から見た図（側面視）である。
【００４３】
図２１および図２２に示される本発明の第３の実施形態において、９は局番認識用ＲＦＩＤリーダーを示し、１６は局番認識用ＲＦＩＤリーダーを設置・固定する固定板を示している。また１０は局番認識用ＲＦＩＤタグを示し、１５は局番認識用ＲＦＩＤタグ１０を設置・固定する固定板を示している。
【００４４】
図２３は、本発明の第３の実施形態に係る電力変換装置の全体構成概要を示す図（正面視）であり、図２３に示されるように、本発明の第３の実施形態に係る電力変換装置では、局番認識用ＲＦＩＤタグ１０に記録・設定された局番情報を局番認識用ＲＦＩＤリーダー９から電力を供給してタグ１０に記録・設定された局番情報を読取ることにより、電力変換装置１の枠体１００内に収納された単位インバータ装置２のナンバー（局番情報）を読取ることができるので、誤設定することなく、単位インバータ装置２を枠体１００の所定位置に収納するだけで正常運転を行うことが可能となる。
【００４５】
図２４は、本発明の第３の実施形態に係る単位インバータ装置の枠体への組込みの様子を示す図であり、図２５は、図２４に示す単位インバータ装置の枠体への組込完了の様子を示す図である。
【００４６】
図２４および図２５において、電力変換装置１の局番割当Ｎｏ．２に該当する箇所（図２３参照）に単位インバータ装置２を組込むとした場合、電力変換装置１の局番割当Ｎｏ．２に該当する箇所に組込まれるＲＦＩＤタグ１０は、局番２を示す情報をＲＦＩＤリーダー９に返送するタグが組込まれ、他局番を示す情報はＲＦＩＤリーダー９に返送しないように構成されている。
【００４７】
電力変換装置１へ単位インバータ装置２の組込みを行うと、図２０、図２５に示すように、単位インバータ装置２に組込まれているＲＦＩＤリーダー９より電力波および信号波をＲＦＩＤタグ１０に送信する。送信された電力波により局番割当Ｎｏ．２を示すＲＦＩＤタグ１０のみ起動し、送信された信号に対し、局番割当Ｎｏ．２を示す信号波をＲＦＩＤタグ１０よりＲＦＩＤリーダー９に返送する。ＲＦＩＤタグ１０からの返送信号をＲＦＩＤリーダー９が受信することにより、単位インバータ装置２の局番割当Ｎｏ．２の局番識別用ＲＦＩＤタグ１０のみの信号をＲＦＩＤリーダー９が受信することにより、枠体１００の所定位置に収納された単位インバータ装置２が局番割当Ｎｏ．２であることを認識することが可能となる。
【００４８】
（変形例）
上記第３の実施形態は、単位インバータ装置２から電力波を送信するようにしているが、そのような構成を採らずに、電力変換装置１側の送信システムを専用電源により動作する局番情報送信用システムとして構成することができる。
【００４９】
［他の適用例］
上記では第１ないし第３の実施形態を説明したが、これらの実施形態のみに限定されるものではない。例えば、以下に示すような適用例も本発明の技術的思想の範疇に含まれる。すなわち、
（ａ）電力変換装置の回路構成は、単相および三相に関わらず他の相出力構成であっても良い。
（ｂ）電力変換装置の回路構成における単位インバータ装置の直列多重接続数は２台以上の任意の数であっても良い。
（ｃ）電力変換装置の回路構成は、並列多重または並列・直列複合多重であっても良い。
【符号の説明】
【００５０】
１  電力変換装置
２  単位インバータ装置
３  レール
４  固定材
５  局番識別用スイッチ
６  動作棒
７  局番識別用発光・受光素子
８  反射板
９  ＲＦＩＤリーダー
１０  ＲＦＩＤタグ
１１  （動作棒用）固定板
１２  （スイッチ用）固定板
１３  （反射板用）固定板
１４  （発光・受光素子用）固定板
１５  （ＲＦＩＤタグ用）固定板
１６  （ＲＦＩＤリーダー用）固定板
１００  枠体
【図１】
0006323228.tif 000002
【図２】
0006323228.tif 000003
【図３】
0006323228.tif 000004
【図４】
0006323228.tif 000005
【図５】
0006323228.tif 000006
【図６】
0006323228.tif 000007
【図７】
0006323228.tif 000008
【図８】
0006323228.tif 000009
【図９】
0006323228.tif 000010
【図１０】
0006323228.tif 000011
【図１１】
0006323228.tif 000012
【図１２】
0006323228.tif 000013
【図１３】
0006323228.tif 000014
【図１４】
0006323228.tif 000015
【図１５】
0006323228.tif 000016
【図１６】
0006323228.tif 000017
【図１７】
0006323228.tif 000018
【図１８】
0006323228.tif 000019
【図１９】
0006323228.tif 000020
【図２０】
0006323228.tif 000021
【図２１】
0006323228.tif 000022
【図２２】
0006323228.tif 000023
【図２３】
0006323228.tif 000024
【図２４】
0006323228.tif 000025
【図２５】
0006323228.tif 000026